(57)【要約】【課題】インデックス信号を付加させる画像表示期間の位置を特定し、有効表示領域の判別結果を使用してインデックス信号の位置検出を正確且つ迅速に行う。【解決手段】インデックス信号が画像信号の一部を置換て付加された画像信号と、この画像信号に同期した垂直および水平の各同期信号とが、複合化信号として画像信号入力端子１より画像信号受信手段２へ入力される。画像信号受信手段２は、受信した複合化信号をデジタル画像信号とこのデジタル画像信号に対応する同期信号とに分離し、有効表示領域再生手段３へ出力する。有効表示領域再生手段３はデジタル画像信号と同期信号から有効表示領域信号を再生してインデックス判別手段４へ出力する。インデックス判別手段４は有効表示領域信号を、インデックス信号を抽出するための位置基準とし、デジタル画像信号から所定画素分のインデックス信号を抽出する。【選択図】　　　図１
2004102025.tif 000002
【特許請求の範囲】
【請求項１】
複数の画像フレームよりなる画像信号、該画像信号に対応する同期信号、および前記画像信号の任意の画像フレームに該画像信号の一部を置き換えて付加されたインデックス信号を含む複合化信号を受信し、受信した複合化信号から前記画像信号、前記同期信号、及び前記インデックス信号を分離して出力する画像信号受信手段と、
前記画像信号受信手段から分離されて出力された前記画像信号と前記同期信号から有効表示領域信号を再生して出力する有効表示領域再生手段と、
前記有効表示領域信号と前記画像信号よりインデックス信号を判別し、判別されたインデックス信号を出力するインデックス判別手段と、
自装置に対して設定された画像信号表示装置番号を出力する画像表示装置番号設定手段と、
前記インデックス判別手段から出力されたインデックス信号と前記画像表示装置番号設定手段より出力された自装置の画像表示装置番号とに基づいて、前記画像信号に含まれる画像フレームを選択するためのフレーム選択信号を出力するインデックス判定手段と、
前記インデックス判定手段が出力したフレーム選択信号に応じて、前記画像信号に含まれる画像フレームを選択するフレーム選択手段と、
前記フレーム選択手段から出力された画像フレームに対応する画像信号を記憶する画像記憶手段と、
前記画像記憶手段から抽出した画像フレームに対応する画像信号を表示する画像表示手段と
を備えることを特徴とする画像表示システム。
【請求項２】
前記画像信号受信手段が受信した複合化信号がアナログ信号の場合は、前記有効表示領域再生手段が再生した有効表示領域信号を、前記インデックス判別手段がインデックス信号を抽出する際の位置基準とすることを特徴とする請求項１に記載の画像表示システム。
【請求項３】
前記インデックス判別手段が出力したインデックス信号が画像表示データ内の一部に置き換えられた場合は、前記有効表示領域再生手段が再生した有効表示領域信号の開始位置を、前記インデックス判別手段がインデックス信号を抽出する際の位置基準とすることを特徴とする請求項１または請求項２に記載の画像表示システム。
【請求項４】
前記インデックス判別手段が出力したインデックス信号が画像表示データ内の先頭位置に置き換えられた場合は、前記有効表示領域再生手段が再生した有効表示領域信号の開始位置を、前記インデックス判別手段がインデックス信号を抽出する際の開始位置とすることを特徴とする請求項１または請求項２に記載の画像表示システム。
【請求項５】
前記インデックス判別手段が出力したインデックス信号が画像表示データ内の最終位置に置き換えられた場合は、前記有効表示領域再生手段が再生した有効表示領域信号の終了位置を、前記インデックス判別手段がインデックス信号を抽出する際の終了位置とすることを特徴とする請求項１または請求項２に記載の画像表示システム。
【請求項６】
前記画像信号受信手段が受信した複合化信号がデジタル信号の場合は、前記有効表示領域再生手段が再生した有効表示領域信号を、前記インデックス判別手段がインデックス信号を抽出する際の位置基準することを特徴とする請求項１に記載の画像表示システム。
【請求項７】
前記インデックス判別手段が出力したインデックス信号が画像表示データ内の一部に置き換えられた場合は、前記有効表示領域再生手段が再生した有効表示領域信号の開始位置を、前記インデックス判別手段がインデックス信号を抽出する際の位置基準とすることを特徴とする請求項１または請求項６に記載の画像表示システム。
【請求項８】
前記インデックス判別手段が出力したインデックス信号が画像表示データ内の先頭位置に置き換えられた場合は、前記有効表示領域再生手段が再生した有効表示領域信号の開始位置を、前記インデックス判別手段がインデックス信号を抽出する際の開始位置とすることを特徴とする請求項１または請求項６に記載の画像表示システム。
【請求項９】
前記インデックス判別手段が出力したインデックス信号が画像表示データ内の最終位置に置き換えられた場合は、前記有効表示領域再生手段が再生した有効表示領域信号の終了位置を、前記インデックス判別手段がインデックス信号を抽出する際の終了位置とすることを特徴とする請求項１または請求項６に記載の画像表示システム。
【請求項１０】
デジタル画像信号の一部を置き換えて付加されたインデックス信号を含むデジタル信号を受信し、該デジタル信号から有効表示領域信号を再生して出力する有効表示領域再生手段と、
前記有効表示領域信号と前記デジタル画像信号よりインデックス信号を判別し、判別されたインデックス信号を出力するインデックス判別手段と、
自装置に対して設定された画像信号表示装置番号を出力する画像表示装置番号設定手段と、
前記インデックス判別手段から出力されたインデックス信号と前記画像表示装置番号設定手段より出力された自装置の画像信号表示装置番号とに基づいて、前記デジタル画像信号に含まれる画像フレームを選択するためのフレーム選択信号を出力するインデックス判定手段と、
前記インデックス判定手段が出力したフレーム選択信号に応じて、前記デジタル画像信号に含まれる画像フレームを選択するフレーム選択手段と、
前記フレーム選択手段から出力された画像フレームに対応するデジタル画像信号を記憶する画像記憶手段と、
前記画像記憶手段から抽出した画像フレームに対応するデジタル画像信号を表示する画像表示手段と
を備えることを特徴とする画像表示システム。
【請求項１１】
前記インデックス判別手段が出力したインデックス信号が画像表示データ内の一部に置き換えられた場合は、前記有効表示領域再生手段が再生した有効表示領域信号の開始位置を、前記インデックス判別手段がインデックス信号を抽出する際の位置基準とすることを特徴とする請求項１０に記載の画像表示システム。
【請求項１２】
前記インデックス判別手段が出力したインデックス信号が画像表示データ内の先頭位置に置き換えられた場合は、前記有効表示領域再生手段が再生した有効表示領域信号の開始位置を、前記インデックス判別手段がインデックス信号を抽出する際の開始位置とすることを特徴とする請求項１０に記載の画像表示システム。
【請求項１３】
前記インデックス判別手段が出力したインデックス信号が画像表示データ内の最終位置に置き換えられた場合は、前記有効表示領域再生手段が再生した有効表示領域信号の終了位置を、前記インデックス判別手段がインデックス信号を抽出する際の終了位置とすることを特徴とする請求項１０に記載の画像表示システム。
【発明の詳細な説明】
【０００１】
【発明の属する技術分野】
この発明は、画像信号発生装置と画像表示装置からなる画像表示システムに関するものであり、より詳しくは、パーソナルコンピュータ（ＰＣ）などで使われる所定のフォーマットを有する画像信号発生装置と、液晶パネル、ＣＲＴ、デジタルマイクロミラー・デバイス（ＤＭＤ）、プラズマディスプレイ（ＰＤＰ）、あるいはフィールド・エミッション・ディスプレイ（ＦＥＤ）などの表示デバイスを含んで構成される画像表示装置とからなる画像表示システムに関するものであり、且つ、複数の画像表示装置を設置することによって所定の画像を高精度に大画面として表示させるマルチ画面表示機能を備えた画像表示システムに関するものである。
【０００２】
【従来の技術】
従来、画像表示装置選択情報であるインデックス信号を画像表示装置へ送信する方法として、画像表示データの外部にインデックス信号を付加して送信する方法が行われている。しかし、このような方法では、ビデオボードやＯＳを改良しなければインデックス信号を付加することができない。また、インデックス信号を画像表示データの外部に付加することができたとしても、インデックス信号に対応可能な専用の画像表示装置を用いなければ所望の画像を表示すことはできない。
【０００３】
図１０は、特開平５−２４９９３２号公報に開示されているデジタル画像情報のデータ列を示す構成図である。このデータ列は、ＩＤ情報を格納するデータ列（ＩＤ１〔１０１〕、ＩＤ２〔１０３〕、ＩＤ３〔１０５〕…）と、画像情報を格納するデータ列（ＰＣの画像データ１０２、ＶＴＲ１の画像データ１０４、ＶＴＲ２の画像データ１０６…）とによって構成されている。ＩＤ情報のデータ列および画像情報のデータ列はそれぞれ固定のデータ長を有し、ＩＤ情報はそれに続く画像情報を表示すべき表示ユニットを特定するために使用される。つまり、ＩＤ情報は、実際に画像を表示するための表示データの前に新たに表示データ判別のためのＩＤを挿入したものであり、元々の表示データ以外の領域にＩＤがあることになる。この場合、ＩＤを抽出して判別するための専用の画像表示装置が必要になり、通常の画像表示装置ではＩＤも表示データであると判断してしまう。従って、図１０のようなデータ列のデジタル画像情報を表示するためには、ＩＤに対応可能な専用の画像表示装置を用いなければならない。
【０００４】
そこで、上述問題を解決するために、特開２０００−３５２９６２号公報などが開示されている。この公報の技術では、インデックス信号を画像信号の一部に置き換えて画像表示装置へ送信することにより、画像表示装置のハードウェアに手を加えることなく、アプリケーションソフトの開発のみによって通常の画像表示装置でも画像表示ができるようにして上記問題を解決している。
【０００５】
次に、特開２０００−３５２９６２号公報で開示されているインデックス信号を扱った画像表示システムとインデックス信号判別手段の動作について説明する。図１１は、画像信号発生装置と画像表示装置からなる従来の画像表示システムの構成図である。つまり、この図はインデックス信号を扱った画像表示システムを概略的に表した概念図である。画像信号発生装置２０１には複数の画像表示装置２０２が通信ケーブル等によって電気的に接続され、各々の画像表示装置２０２はそれぞれ画像表示装置番号１〜ｎを有している。画像信号発生装置２０１は、各画像表示装置２０２の有する画像表示部に対して、実際に表示される正味の画像信号、この正味の画像信号に対応する同期信号、および正味の画像信号の一部を置き換えて付加されたインデックス信号を出力する。尚、以下の説明では、画像信号発生装置２０１から出力される信号を総称して複合化信号と云うことにする。
【０００６】
画像信号発生装置２０１から出力された複合化信号は、それぞれの画像表示装置２０２に並列的に与えられる。各画像表示装置２０２は、受信した複合化信号から、正味の画像信号、同期信号およびインデックス信号の各信号に分離する。そして、各画像表示装置２０２に設定されている画像表示装置番号１，２…ｎと、インデックス信号とが適合した画像表示装置２０２は、受信した画像信号からの画像表示装置番号を有するフレームに含まれる正味の画像信号を画像表示装置２０２の画像表示部に表示させる。以上が特開２０００−３５２９６２号公報におけるインデックス信号を扱った画像表示システムの動作である。
【０００７】
図１２は、インデックス信号が画像信号の一部を置き換えて付加された場合の各信号のタイミングチャートである。つまり、この図は、横軸に時間、縦軸に電圧を示し、１フレーム期間における垂直同期信号、水平同期信号、および画像信号中の画像表示期間内にインデックス信号が画像信号の一部を置き換えて付加された画像信号のタイミングを示す説明図である。
【０００８】
図１３は、画像信号の一部を置き換えて付加されたインデックス信号を８画素で示した説明図であり、図１４は、画像信号の一部を置き換えて付加されたインデックス信号を８画素と１パリティで示した説明図である。図１３及び図１４において丸印は１つの画素を表している。つまり、図１３におけるインデックス信号は、画像期間の所定の位置（この図では表示画面上のある１ライン上）にある８画素で構成されている。また、図１４におけるインデックス信号は、８画素の後に１画素分のパリティが付加されて構成されている。
【０００９】
図１３と図１４のインデックス信号を抽出する動作を図１２で説明すると、垂直同期信号と水平同期信号のタイミングにおける時間軸上の位置基準として、あらかじめ決められた所定の位置にあるインデックス信号を画像信号中から割り出し、受信したインデックス信号を抽出している。すなわち、水平同期信号をスタート位置としてのトリガーとし、一定時間経過後の画像信号の一部を抜き出して所望のインデックス信号を抽出している。
【特許文献１】
特開２０００−３５２９６２（図１、段落００３０第１行〜第１１行）
【００１０】
【発明が解決しようとする課題】
しかしながら、従来の画像信号（つまり、表示データ）の一部を置き換えて付加されたインデックス信号を扱う画像表示システムにおいては、以下のような幾つかの問題点がある。一つ目は、垂直同期信号と水平同期信号をタイミングの時間軸上の位置基準として、予め決められた位置にあるインデックス信号を抽出する場合には、水平同期信号からインデックス信号までに一定期間が経過しないとインデックス信号を抽出することができない。
【００１１】
二つ目は、ノイズ、延長信号ケーブルによる信号遅延、または基板パターンによる信号遅延などの外的・内的要因によって、画像信号の画像表示期間にズレが生じたり、垂直同期信号または水平同期信号の乱れや歪みなどが発生した場合には、決められた位置にあるインデックス信号を取り逃がしてしまうおそれがある。三つ目は、上記の外的・内的要因によって画像表示期間のタイミングがずれたり、垂直同期信号または水平同期信号に乱れなどが生じた場合は、画像表示期間内において、画像信号の一部を置き換えて付加されたインデックス信号の画素以外の、映像を表示するための画素を抽出してしまうことがあり、このような場合はインデックス信号そのものが意味のないデータになってしまう虞がある。
【００１２】
この発明は、上述の課題に鑑みてなされたもので、その目的とするところは、インデックス信号を付加させる画像表示期間の位置を特定し、映像の有効表示領域または表示データ領域の判別結果を使用することにより、インデックス信号の位置検出を正確且つ迅速に行うことができるインデックス判別手段を備えた画像表示システムを提供することにある。
【００１３】
【課題を解決するための手段】
上記の目的を達成するため、この発明の画像表示システムは、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号から画像信号、同期信号、及びインデックス信号を分離して出力する画像信号受信手段と、画像信号受信手段から分離されて出力された画像信号と同期信号から有効表示領域信号を再生して出力する有効表示領域再生手段と、有効表示領域信号と画像信号よりインデックス信号を判別し、判別されたインデックス信号を出力するインデックス判別手段と、自装置に対して設定された画像信号表示装置番号を出力する画像表示装置番号設定手段と、インデックス判別手段から出力されたインデックス信号と画像表示装置番号設定手段より出力された自装置の画像表示装置番号とに基づいて、画像信号に含まれる画像フレームを選択するためのフレーム選択信号を出力するインデックス判定手段と、インデックス判定手段が出力したフレーム選択信号に応じて、画像信号に含まれる画像フレームを選択するフレーム選択手段と、フレーム選択手段から出力された画像フレームに対応する画像信号を記憶する画像記憶手段と、画像記憶手段から抽出した画像フレームに対応する画像信号を表示する画像表示手段とを備えることを特徴とする。
【００１４】
また、この発明の画像表示システムは、画像信号受信手段が受信した複合化信号がアナログ信号の場合は、有効表示領域再生手段が再生した有効表示領域信号を、インデックス判別手段がインデックス信号を抽出する際の位置基準とすることを特徴とする。
【００１５】
また、この発明の画像表示システムは、インデックス判別手段が出力したインデックス信号が画像表示データ内の一部に置き換えられた場合は、有効表示領域再生手段が再生した有効表示領域信号の開始位置を、インデックス判別手段がインデックス信号を抽出する際の位置基準とすることを特徴とする。
【００１６】
また、この発明の画像表示システムは、インデックス判別手段が出力したインデックス信号が画像表示データ内の先頭位置に置き換えられた場合は、有効表示領域再生手段が再生した有効表示領域信号の開始位置を、インデックス判別手段がインデックス信号を抽出する際の開始位置とすることを特徴とする。
【００１７】
また、この発明の画像表示システムは、インデックス判別手段が出力したインデックス信号が画像表示データ内の最終位置に置き換えられた場合は、有効表示領域再生手段が再生した有効表示領域信号の終了位置を、インデックス判別手段がインデックス信号を抽出する際の終了位置とすることを特徴とする。
【００１８】
また、この発明の画像表示システムは、画像信号受信手段が受信した複合化信号がデジタル信号の場合は、有効表示領域再生手段が再生した有効表示領域信号を、インデックス判別手段がインデックス信号を抽出する際の位置基準することを特徴とする。
【００１９】
また、この発明の画像表示システムは、インデックス判別手段が出力したインデックス信号が画像表示データ内の一部に置き換えられた場合は、有効表示領域再生手段が再生した有効表示領域信号の開始位置を、インデックス判別手段がインデックス信号を抽出する際の位置基準とすることを特徴とする。
【００２０】
また、この発明の画像表示システムは、インデックス判別手段が出力したインデックス信号が画像表示データ内の先頭位置に置き換えられた場合は、有効表示領域再生手段が再生した有効表示領域信号の開始位置を、インデックス判別手段がインデックス信号を抽出する際の開始位置とすることを特徴とする。
【００２１】
また、この発明の画像表示システムは、インデックス判別手段が出力したインデックス信号が画像表示データ内の最終位置に置き換えられた場合は、有効表示領域再生手段が再生した有効表示領域信号の終了位置を、インデックス判別手段がインデックス信号を抽出する際の終了位置とすることを特徴とする。
【００２２】
また、この発明の画像表示システムは、デジタル画像信号の一部を置き換えて付加されたインデックス信号を含むデジタル信号を受信し、このデジタル信号から有効表示領域信号を再生して出力する有効表示領域再生手段と、有効表示領域信号とデジタル画像信号よりインデックス信号を判別し、判別されたインデックス信号を出力するインデックス判別手段と、自装置に対して設定された画像信号表示装置番号を出力する画像表示装置番号設定手段と、インデックス判別手段から出力されたインデックス信号と画像表示装置番号設定手段より出力された自装置の画像信号表示装置番号とに基づいて、デジタル画像信号に含まれる画像フレームを選択するためのフレーム選択信号を出力するインデックス判定手段と、インデックス判定手段が出力したフレーム選択信号に応じて、デジタル画像信号に含まれる画像フレームを選択するフレーム選択手段と、フレーム選択手段から出力された画像フレームに対応するデジタル画像信号を記憶する画像記憶手段と、画像記憶手段から抽出した画像フレームに対応するデジタル画像信号を表示する画像表示手段とを備えることを特徴とする。
【００２３】
また、この発明の画像表示システムは、インデックス判別手段が出力したインデックス信号が画像表示データ内の一部に置き換えられた場合は、有効表示領域再生手段が再生した有効表示領域信号の開始位置を、インデックス判別手段がインデックス信号を抽出する際の位置基準とすることを特徴とする。
【００２４】
また、この発明の画像表示システムは、インデックス判別手段が出力したインデックス信号が画像表示データ内の先頭位置に置き換えられた場合は、有効表示領域再生手段が再生した有効表示領域信号の開始位置を、インデックス判別手段がインデックス信号を抽出する際の開始位置とすることを特徴とする。
【００２５】
また、この発明の画像表示システムは、インデックス判別手段が出力したインデックス信号が画像表示データ内の最終位置に置き換えられた場合は、有効表示領域再生手段が再生した有効表示領域信号の終了位置を、インデックス判別手段がインデックス信号を抽出する際の終了位置とすることを特徴とする。
【００２６】
【発明の実施の形態】
以下、図面を用いて、この発明の画像表示システムにおける幾つかの実施の形態を詳細に説明する。この発明の画像表示システムは、インデックス信号を付加させる画像表示期間の位置を特定し、映像の有効表示領域または表示データ領域の判別結果を使用することにより、インデックス信号の位置検出を正確且つ迅速に行うことができるインデックス判別手段を備えたことを特徴とする。
【００２７】
実施の形態１
図１は、この発明の実施の形態１における画像信号受信手段からインデックス判別手段までを示す画像表示システムのブロック図である。つまり、この図は、インデックス信号を含む画像表示システムのインデックス抽出を概略的に説明するための画像表示システムのブロック図である。図１において、この画像表示システムは、外部からＰＣ（パーソナルコンピュータ）などにより出力された複合化信号を受信する画像信号入力端子１と、複合化信号を受信して画像信号、同期信号、およびインデックス信号に分離する画像信号受信手段２と、分離された各信号から映像の有効表示領域信号を再生する有効表示領域再生手段３と、画像信号の一部に置き換えて付加されたインデックス信号を判別するインデックス判別手段４とによって構成されている。
【００２８】
次に、図１を用いて、複合化信号を受信してインデックス信号を抽出するまでの概略的な動作について説明する。インデックス信号が画像信号の一部を置き換えて付加された画像信号と、この画像信号に同期した垂直および水平の各同期信号とが、複合化信号として画像信号入力端子１へ入力される。画像信号入力端子１に入力された複合化信号は画像信号受信手段２へ入力される。すると、画像信号受信手段２では、受信した複合化信号を、デジタル画像信号とこのデジタル画像信号に対応する同期信号とに分離し、有効表示領域再生手段３へ出力する。
【００２９】
有効表示領域再生手段３では、入力されたデジタル画像信号と同期信号から有効表示領域信号を再生してインデックス判別手段４へ出力する。インデックス判別手段４では、有効表示領域再生手段３で再生された有効表示領域信号を、インデックス信号を抽出するための位置基準とし、デジタル画像信号から所定画素分のインデックス信号を抽出する。
【００３０】
図２は、この発明の実施の形態１における画像表示システムの詳細なブロック図である。つまり、図２は、インデックス信号を含む画像表示システムの内部構成を示している。図２において、画像表示システムは、画像信号入力端子１、画像信号受信手段２、有効表示領域再生手段３、インデックス判別手段４、画像表示装置番号設定手段５、インデックス判定手段６、フレーム選択手段７、画像記憶手段８、および画像表示手段９によって構成されている。
【００３１】
画像信号入力端子１は、インデックス信号が画像信号の一部を置き換えて付加された画像信号と、この画像信号に同期した垂直および水平の各同期信号とを複合化信号として入力する。画像信号受信手段２は、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号より画像信号、同期信号、及び複合化信号を分離して出力する。有効表示領域再生手段３は、画像信号受信手段２から分離されて出力された画像信号と同期信号から有効表示領域信号を再生して出力する。
【００３２】
インデックス判別手段４は、有効表示領域信号と画像信号よりインデックス信号を判別し、判別されたインデックス信号を出力する。画像表示装置番号設定手段５は、自己の画像表示装置に対して設定された画像信号表示装置番号を出力する。インデックス判定手段６は、インデックス判別手段４から出力されたインデックス信号と画像表示装置番号設定手段５より出力された自己の画像表示装置の画像表示装置番号とに基づいて、画像信号に含まれる画像フレームを選択するためのフレーム選択信号を出力する。
【００３３】
フレーム選択手段７は、インデックス判定手段６が出力したフレーム選択信号に応じて、画像信号に含まれる画像フレームを選択する。画像記憶手段８は、フレーム選択手段７から出力された画像フレームに対応する画像信号を記憶する。画像表示手段９は、画像記憶手段８から抽出した画像フレームに対応する画像信号を表示する。
【００３４】
Ｄｉは画像信号受信手段２が出力する画像信号、Ｄｓはフレーム選択手段７が出力する画像信号、Ｄｒは画像記憶手段８が出力する画像信号、Ｓｉは画像信号受信手段２が出力する同期信号、ＤＥは有効表示領域再生手段３が出力する有効表示領域信号、ＩＤはインデックス判別手段４が判別したインデックス、Ｎは画像表示装置番号設定手段５で設定された画像表示装置番号、ＦＳはインデックス判定手段６が出力するフレーム選択信号である。
【００３５】
図３は、図１に示す実施の形態１における画像表示システムの内部構成を詳細に示したブロック図である。つまり、図３は、図１の構成における画像信号受信手段２が、入力された複合化信号に含まれる画像信号に対応する同期信号Ｓｉを分離・抽出する同期信号処理手段１１と、入力された同期信号Ｓｉを基準とする所定の周波数のクロックを生成するクロック再生手段１２と、入力された複合化信号をアナログ信号からデジタル信号に変換するＡ／Ｄ変換手段１３とによって構成されている状態を示している。尚、有効表示領域再生手段３とインデックス判別手段４は図１と同じである。
【００３６】
次に、この発明の実施に形態１における画像表示システムの動作について説明する。図２に示すように、インデックス信号が画像信号の一部を置き換えて付加された画像信号と、この画像信号に同期した垂直および水平の各同期信号とが複合化信号として、画像信号入力端子１に入力される。画像信号入力端子１に入力された複合化信号は画像信号受信手段２に入力される。
【００３７】
図３は、画像信号受信手段２の内部構成と有効表示領域再生手段３およびインデックス判別手段４を示している。図３に示すように、入力された複合化信号はＡ／Ｄ変換手段１３と同期信号処理手段１１とに与えられる。Ａ／Ｄ変換手段１３からはデジタルの画像信号としての画像信号Ｄｉが出力される。一方、複合化信号が同期信号処理手段１１に入力されることにより、複合化信号に含まれる画像信号に対応する同期信号Ｓｉが分離・抽出される。この同期信号Ｓｉは画像信号受信手段２の外部に出力されると共に、クロック再生手段１２へも出力される。クロック再生手段１２においては、入力された同期信号Ｓｉを基準とする所定の周波数のクロックを、Ａ／Ｄ変換手段１３に入力される複合化信号に含まれる画像信号をＡ／Ｄ変換する際のサンプリングクロックとして出力する。
【００３８】
その後、Ａ／Ｄ変換手段１３から出力された画像信号Ｄｉと同期信号処理手段１１から出力された同期信号Ｓｉは、有効表示領域再生手段３へ入力される。有効表示領域再生手段３では、水平有効期間幅（つまり、受信した複合化信号の水平解像度）、水平同期信号から有効表示領域の開始位置までのクロック数、垂直有効期間幅（つまり、受信した複合化信号の垂直解像度）、および垂直同期信号から有効表示領域の開始位置までのライン数を設定することで、デジタル化された画像信号Ｄｉの有効表示領域を再生した信号を有効表示領域信号ＤＥとして出力する。
【００３９】
続いて、有効表示領域再生手段３から出力された有効表示領域信号ＤＥとＡ／Ｄ変換手段１３から出力された画像信号Ｄｉはインデックス判別手段４へ入力される。インデックス判別手段４では有効表示領域信号ＤＥをタイミングの位置基準として、デジタル化された画像信号Ｄｉからインデックス情報を抽出し、このインデックス情報をインデックスＩＤとして出力する。
【００４０】
図４は、この発明の実施の形態１において、画像信号中の画像表示期間内にインデックス信号が画像信号の一部を置き換えて付加された場合の各信号のタイミングチャートである。この図は横軸に時間を、縦軸に電圧をそれぞれ示している。図４を参照すると分かるように、１フレーム期間における垂直同期信号、水平同期信号、有効表示領域再生手段３で再生された有効表示領域信号ＤＥおよび画像信号Ｄｉの各タイミングの関係、および有効表示領域再生手段３で再生された有効表示領域信号信号ＤＥと画像信号Ｄｉの画像表示期間がリンクしている関係を示している。
【００４１】
図５は、この発明の実施の形態１における有効表示領域信号とインデックス信号との関係を示すタイミングチャートである。つまり、この図は、画像信号中の画像表示期間内にインデックス信号が画像信号の一部を置き換えて付加された部分の位置および抽出を説明するための図４の拡大図である。図５において、ＤＥｓは有効表示領域再生手段３で再生された有効表示領域の表示データ開始位置、ＤＥｅは有効表示領域再生手段３で再生された有効表示領域信号ＤＥの表示データ終了位置、ＩＤｓは画像信号Ｄｉ中に付加されたインデックス信号の開始位置、ＩＤｅは画像信号Ｄｉ中に付加されたインデックス信号の終了位置を、それぞれ示している。
【００４２】
有効表示領域再生手段３で再生された有効表示領域信号ＤＥの表示データ開始位置ＤＥｓを、インデックス信号を抽出するための位置基準とし、表示データ開始位置ＤＥｓからインデックス信号の開始位置ＩＤｓまでの経過時間Ｔの後に、インデックス信号がある所定画素分のインデックスデータ（つまり、インデックス信号の開始位置ＩＤｓからインデックス信号の終了位置ＩＤｅまでの画素）をインデックス判別手段４で抽出し、インデックス信号をＩＤとしてインデックス判別手段４から出力する。ここで扱うインデックスデータとしての画素はあらかじめ任意に決定された画素であり、任意に決定された画素であれば特に長さに制限は持たない。
【００４３】
図６は、この発明の実施の形態１における有効表示領域信号とインデックス信号との関係を示すタイミングチャートである。つまり、この図は、インデックス信号が画像信号中の画像表示期間内の先頭に置き換えて付加された部分の位置および抽出を示す説明図である。図６おいて、有効表示領域再生手段３で再生された有効表示領域信号ＤＥの表示データ開始位置ＤＥｓと所定画素を保有するインデックス信号の開始位置ＩＤｓが同じ位置にあることがわかる。
【００４４】
すなわち、有効表示領域再生手段３で再生された表示データ開始位置ＤＥｓの始まりからインデックス信号がある所定画素を終了する位置ＩＤｅまでの画素をインデックス判別手段４で抽出し、インデックス信号をＩＤとしてインデックス判別手段４は出力する。ここで扱うインデックスデータも前記同様に画素はあらかじめ任意に決定された画素であり、任意に決定された画素であれば特に長さに制限は持たない。
【００４５】
図７は、この発明の実施の形態１における有効表示領域信号とインデックス信号との関係を示すタイミングチャートである。つまり、この図は、インデックス信号が画像信号中の画像表示期間内の最後に置き換えて付加された部分の位置および抽出を示す説明図である。図７において、有効表示領域再生手段３で再生された有効表示領域信号ＤＥの表示データ終了位置ＤＥｅと所定画素を保有するインデックス信号の終了位置ＩＤｅが同じ位置にあることがわかる。
【００４６】
図５および図６で説明したように、有効表示領域信号ＤＥの表示データ開始位置ＤＥｓを、所定画素を保有するインデックス信号を抽出するための位置基準として抽出する方法もあるが、図７では別の方法を説明する。インデックス判別手段４は表示データ開始位置ＤＥｓから順次画像信号の画素を取り込み、あらかじめ決められている画素分（インデックスデータ分）を越えて画素データを取り込んだら、最初に取り込んだ画素データを破棄し、常に新しい画素データを順次取り込む。
【００４７】
ここで、表示データ終了位置ＤＥｅとインデックス信号終了位置ＩＤｅが同じ位置にあるため、表示データ終了位置ＤＥｅを検出したときのインデックス判別手段４が取り込んだ画素はインデックスデータとなる。すなわち、有効表示領域再生手段３で再生された有効表示領域信号ＤＥの表示データ終了位置ＤＥｅを、所定画素を保有するインデックス信号を抽出するための位置基準としている。ここで扱うインデックスデータも、前述と同様に、画素はあらかじめ任意に決定された画素である。従って、任意に決定された画素であれば特に長さに制限は持たない。
【００４８】
インデックス判別手段４は、上述のようにして得られたインデックスＩＤをインデックス判定手段６に出力する。一方、画像表示装置番号設定手段５は、自装置にあらかじめ設定された画像表示装置番号Ｎをインデックス判定手段６に出力する。インデックス判定手段６は、判別されたインデックスＩＤと画像表示装置番号Ｎとに基づいて、フレーム選択番号ＦＳを出力する。フレーム選択手段７は、インデックス判定手段６が出力したフレーム選択信号ＦＳに基づいて、入力された画像信号Ｄｉから所定のフレームを選択する。ここでは、インデックス信号が画像期間の一部に置き換えて付加されているので、図５および図７で説明したインデックス信号の場合には選択されるフレームは判定が行われた１フレーム後のフレームである。また、図６で説明したインデックス信号の場合には画像データの頭にインデックスデータがあるので、選択されるフレームは判定が行われたフレームとなる。
【００４９】
フレーム選択手段７によって選択された画像信号Ｄｓは、画像記憶手段８に出力される。画像記憶手段８は、フレーム選択手段７が選択した画像信号Ｄｓを記憶する。画像記憶手段８に記憶された画像信号Ｄｓは所定のタイミングで読み出され、画像信号Ｄｒとして画像表示手段９へ出力される。これによって、画像表示手段９は、画像記憶手段８から読み出された画像信号Ｄｒを表示する。
【００５０】
以上説明したように、この発明の実施の形態１における画像表示システムによれば、有効表示領域信号と画像信号の画像表示期間がリンクしている関係から、画素信号の一部として置き換えられたインデックス信号を、有効表示領域信号を位置基準として抽出することにより、インデックス信号を正確且つ迅速に抽出することができる。すなわち、インデックス信号を判別するために要する時間が短縮されるため、画面表示の切り替えや更新をスムーズに行うことが可能となり、インデックス信号を含んだ画像表示システムにおける利用者の操作性が一段と向上する。また、インデックス信号が表示データの有効表示領域内に存在するので、従来のインデックス信号を取り扱わない画像表示装置でも何ら支障を生じることなく画像を表示することができる。
【００５１】
実施の形態２
実施の形態１においては、受信する画像信号がアナログ信号の場合について説明したが、受信する画像信号がデジタル信号であってもよい。図８は、この発明の実施の形態２における画像表示システムの画像信号受信手段、有効表示領域再生手段およびインデックス判別手段までの構成を示す図である。図８は、図１に示す画像信号受信手段２が、接続ケーブルを介して伝送されてきたデジタル信号を画像信号Ｄｉと同期信号Ｓｉに変換する信号変換手段１０によって構成されている状態を示している。
【００５２】
信号変換手段１０から出力された画像信号Ｄｉと同期信号Ｓｉが有効表示領域再生手段３へ入力され、有効表示領域再生手段３では水平有効期間幅（つまり、受信した複合化信号の水平解像度）、水平同期信号から有効表示領域信号ＤＥの開始位置までのクロック数、垂直有効期間幅（つまり、受信した複合化信号の垂直解像度）、垂直同期信号から有効表示領域信号ＤＥの開始位置までのライン数、のそれぞれを設定することによって、デジタル化された画像信号Ｄｉの有効表示領域を再生し有効表示領域信号ＤＥとして出力する。
【００５３】
有効表示領域再生手段３から出力された有効表示領域信号ＤＥと画像信号Ｄｉとがインデックス判別手段４に入力され、インデックス判別手段４では有効表示領域信号ＤＥと画像信号Ｄｉから画像信号の一部に付加されたインデックス信号を抽出し、これをインデックスＩＤとして出力する。以降の動作については、この発明の実施の形態１で述ベた場合と同様であるので、その詳細な説明は省略する。
【００５４】
以上説明したように、この発明の実施の形態２における画像表示システムによれば、受信する画像信号がデジタル画像信号の場合でも、実施の形態１で説明した場合と同様に、有効表示域信号と画像信号の画像表示期間がリンクしている関係から、画素信号の一部として置き換えられたインデックス信号を有効表示領域信号を位置基準として抽出することにより、インデックス信号を正確且つ迅速に抽出することができる。すなわち、インデックス信号を判別するために要する時間が短縮されるため、画面表示の切り替えや更新をスムーズに行うことが可能となり、インデックス信号を含んだ画像表示システムにおいて利用者の操作性がさらに向上する。また、インデックス信号が表示データの有効表示領域内に存在するので、従来のインデックス信号を取り扱わない画像表示装置でも問題なく画像を表示することができる。
【００５５】
実施の形態３
実施の形態２では、受信する画像信号Ｄｉがデジタル信号の場合において、画像信号変換手段１０によって画像信号Ｄｉと同期信号Ｓｉとを分離しているが、受信する画像信号Ｄｉがデジタル信号の場合には同期信号Ｓｉを分離しない方法もある。図９は、この発明の実施の形態３における、受信する画像信号がデジタル信号の場合のインデックス信号を含む画像表示システムの内部構成を示したブロック図である。図９において、画像表示システムは、デジタルの画像信号が入力される画像信号入力端子１、有効表示領域再生手段３、インデックス判別手段４、画像表示装置番号設定手段５、インデックス判定手段６、フレーム選択手段７、画像記憶手段８、および画像表示手段９によって構成されている。
【００５６】
Ｄｉは受信したデジタル画像信号、ＤＥは有効表示領域再生手段３が出力する有効表示領域信号、Ｄｓはフレーム選択手段７が出力する画像信号、Ｄｒは画像記憶手段８が出力する画像信号、ＩＤはインデックス判別手段４が判別したインデックス、Ｎは画像表示装置番号設定手段５で設定された画像表示装置番号、ＦＳはインデックス判定手段６が出力するフレーム選択信号である。図９に示す実施の形態３の画像表示システムが、図１に示す実施の形態１の画像表示システムの構成と異なるところは、図１のような画像信号受信手段２を設けないで、画像信号を有効表示領域再生手段３が直接受けているところである。
【００５７】
次に、図９に示す画像表示システムの動作について説明する。インデックス信号が画像信号の一部に置き換えて付加されたデジタル画像信号が、画像信号入力端子１に入力される。画像信号入力端子１で受信したデジタルの画像信号は有効表示領域再生手段３に入力される。有効表示領域再生手段３では、受信した画像信号がデジタル信号の場合はじめからピクセルクロックが用意されており、このピクセルクロックと水平有効期間幅（つまり、受信したデジタル信号の水平解像度）および垂直有効期間幅（つまり、受信したデジタル信号の垂直解像度）の設定により、デジタル化された画像信号Ｄｉの有効表示領域を再生した信号を有効表示領域信号ＤＥとして出力する。
【００５８】
続いて、有効表示領域再生手段３から出力された有効表示領域信号ＤＥとデジタル画像信号Ｄｉは、ともにインデックス判別手段４に入力される。インデックス判別手段４では、有効表示領域信号ＤＥをタイミングの位置基準として、デジタル化された画像信号Ｄｉからインデックス情報を抽出し、このインデックス情報をＩＤとして出力する。インデックス抽出方法については実施の形態１で述べたのと同様であるので、その詳細な動作の説明は省略する。
【００５９】
インデックス判別手段４は、実施の形態１と同様にして得られたインデックスＩＤをインデックス判定手段６へ出力する。一方、画像表示装置番号設定手段５は、自装置にあらかじめ設定された画像表示装置番号Ｎをインデックス判定手段６へ出力する。インデックス判定手段６は、判別されたインデックスＩＤと画像表示装置番号Ｎとに基づいてフレーム選択番号ＦＳを出力する。フレーム選択手段７は、インデックス判定手段６が出力したフレーム選択信号ＦＳに基づいて、入力された画像信号Ｄｉから所定のフレームを選択する。ここでは、インデックス信号が画像期間の一部に置き換えて付加されているので、図５および図７で説明したインデックス信号の場合には、選択されるフレームは判定が行われた１フレーム後のフレームである。また、図６で説明したインデックス信号の場合には、画像データの頭にインデックスデータがあるので、選択されるフレームは判定が行われたフレームとなる。
【００６０】
フレーム選択手段７によって選択された画像信号Ｄｓは、画像記憶手段８に出力される。画像記憶手段８は、フレーム選択手段７が選択した画像信号Ｄｓを記憶する。画像記憶手段８に記憶された画像信号は所定のタイミングで読み出され、画像信号Ｄｒとして画像表示手段９に出力される。画像表示手段９は画像記憶手段８から読み出された画像信号Ｄｒを表示する。
【００６１】
以上説明したように、この発明の実施の形態３における画像表示システムによれば、受信する画像信号がデジタル画像信号の場合において、実施の形態２とは異なる構成を用いて、実施の形態１で説明したように、有効表示領域信号と画像信号の画像表示期間がリンクしている関係から、画素信号の一部として置き換えられたインデックス信号を、有効表示領域信号を位置基準として抽出することにより、インデックス信号を正確且つ迅速に抽出することができる。すなわち、インデックス信号を判別するために要する時間が短縮されるため、画面表示の切り替えや更新をスムーズに行うことが可能となり、インデックス信号を含んだ画像表示システムにおいて利用者の操作性が一段と向上する。また、インデックス信号が表示データの有効表示領域内に存在するので、従来のインデックス信号を取り扱わない画像表示装置でも問題なく画像を表示することができる。
【００６２】
【発明の効果】
以上説明したように、この発明の画像表示システムによれば、有効表示領域信号と画像信号の画像表示期間がリンクしている関係から、画素信号の一部として置き換えられたインデックス信号を、有効表示領域信号を位置基準として抽出することにより、インデックス信号を正確且つ迅速に抽出することができる。すなわち、インデックス信号を判別するために要する時間が短縮されるため、画面表示の切り替えや更新をスムーズに行うことが可能となり、インデックス信号を含んだ画像表示システムにおける利用者の操作性が一段と向上する。また、インデックス信号が表示データの有効表示領域内に存在するので、従来のインデックス信号を取り扱わない画像表示装置でも何ら支障を生じることなく画像を表示することができる。
【００６３】
また、この発明の画像表示システムによれば、受信する画像信号がデジタル画像信号の場合でも、前述と同様に、有効表示域信号と画像信号の画像表示期間がリンクしている関係から、画素信号の一部として置き換えられたインデックス信号を、有効表示領域信号を位置基準としてインデックス信号を抽出することにより、インデックス信号を正確且つ迅速に抽出することができる。インデックス信号を判別するために要する時間が短縮されるため、画面表示の切り替えや更新をスムーズに行うことが可能となり、インデックス信号を含んだ画像表示システムにおいて利用者の操作性がさらに向上する。また、インデックス信号が表示データの有効表示領域内に存在するので、従来のインデックス信号を取り扱わない画像表示装置でも問題なく画像を表示することができる。尚、受信する画像信号がアナログ信号の場合には画像信号と同期信号を分離する必要があるが、受信する画像信号がデジタル信号の場合には同期信号を分離しなくてもよい。
【図面の簡単な説明】
【図１】この発明の実施の形態１における画像信号受信手段からインデックス判別手段までを示す画像表示システムのブロック図である。
【図２】この発明の実施の形態１における画像表示システムの詳細なブロック図である。
【図３】図１に示す実施の形態１における画像表示システムの内部構成を詳細に示したブロック図である。
【図４】この発明の実施の形態１において、画像信号中の画像表示期間内にインデックス信号が画像信号の一部を置き換えて付加された場合の各信号のタイミングチャートである。
【図５】この発明の実施の形態１における有効表示領域信号とインデックス信号との関係を示すタイミングチャートである。
【図６】この発明の実施の形態１における有効表示領域信号とインデックス信号との関係を示すタイミングチャートである。
【図７】この発明の実施の形態１における有効表示領域信号とインデックス信号との関係を示すタイミングチャートである。
【図８】この発明の実施の形態２における画像表示システムの画像信号受信手段、有効表示領域再生手段およびインデックス判別手段までの構成を示すブロック図である。
【図９】この発明の実施の形態３における、受信する画像信号がデジタル信号の場合のインデックス信号を含む画像表示システムの内部構成を示したブロック図である。
【図１０】従来より利用されているデジタル画像情報の多重化されたデータ列を示す構成図である。
【図１１】画像信号発生装置と画像表示装置からなる従来の画像表示システムの構成図である。
【図１２】従来技術における、インデックス信号が画像信号の一部を置き換えて付加された場合の各信号のタイミングチャートである。
【図１３】従来技術における、画像信号の一部を置き換えて付加されたインデックス信号を８画素で示した説明図である。
【図１４】従来技術における、画像信号の一部を置き換えて付加されたインデックス信号を８画素と１パリティで示した説明図である。
【符号の説明】
１…画像信号入力端子、２…画像信号受信手段、３…有効表示領域再生手段、４…インデックス判別手段、５…画像表示装置番号設定手段、６…インデックス判定手段、７…フレーム選択手段、８…画像記憶手段、９…画像表示手段、１１…同期信号処理手段、１２…クロック再生手段、１３…Ａ／Ｄ変換手段、１０１…ＩＤ１、１０２…ＰＣの画像データ、１０３…ＩＤ２、１０４…ＶＴＲ１の画像データ、１０５…ＩＤ３、１０６…ＶＴＲ２の画像データ、２０１…画像信号発生装置、２０２…画像表示装置、Ｄｉ，Ｄｓ，Ｄｒ…画像信号、Ｓｉ…同期信号、ＤＥ…有効表示領域信号、ＩＤ…インデックス、Ｎ…画像表示装置番号、ＦＳ…フレーム選択信号、ＤＥｓ…表示データ開始位置、ＤＥｅ…表示データ終了位置、ＩＤｓ…インデックス信号開始位置、ＩＤｅ…インデックス信号終了位置
【図１】
2004102025.tif 000003
【図２】
2004102025.tif 000004
【図３】
2004102025.tif 000005
【図４】
2004102025.tif 000006
【図５】
2004102025.tif 000007
【図６】
2004102025.tif 000008
【図７】
2004102025.tif 000009
【図８】
2004102025.tif 000010
【図９】
2004102025.tif 000011
【図１０】
2004102025.tif 000012
【図１１】
2004102025.tif 000013
【図１２】
2004102025.tif 000014
【図１３】
2004102025.tif 000015
【図１４】
2004102025.tif 000016